(57)【要約】【課題】記録媒体のジャムの発生を抑制する。【解決手段】プリンタは、ヘッドと、プラテン５１と、移動機構と、搬送方向に関してプラテン５１を挟む位置に配置されたガイド部材３３，４１とを有する。移動機構は、ヘッドと対向する対向位置と退避位置との間においてプラテン５１を搬送方向に沿って移動させる。ガイド部材３３は複数のリブ３３ｂを有し、ガイド部材４１は複数のリブ４１ｂを有する。プラテン５１は、複数のリブ６４，７４を有する。リブ６４の上流端の高さは、プラテン５１が対向位置にあるときに、ガイド部材３３のリブ３３ｂ以下である。リブ４１ｂの上流端の高さは、プラテン５１が対向位置にあるときに、リブ７４以下である。【選択図】図２
2014148055.tif 000002
【特許請求の範囲】
【請求項１】
液体を吐出するための複数の吐出口が形成された吐出面を有するヘッドと、
前記吐出面と対向する領域に記録媒体を搬送するための搬送機構と、
前記吐出面と対向する記録媒体を支持するための支持部材と、
前記支持部材が前記吐出面と対向する対向位置と前記吐出面と対向しない退避位置とを取り得るように、前記搬送機構によって搬送される記録媒体の搬送方向に沿って前記支持部材を移動させる移動機構と、
前記搬送方向に関して前記ヘッドよりも上流に配置され、記録媒体を支持するための上流ガイド部材と、
前記搬送方向に関して前記ヘッドよりも下流に配置され、記録媒体を支持するための下流ガイド部材とを備えており、
前記支持部材は、前記搬送方向と直交する方向に並んで配置され、各々が前記搬送方向に沿って延在するとともに記録媒体を支持するための支持面が形成された複数の第１部材を有し、
前記上流ガイド部材及び前記下流ガイド部材の少なくともいずれか一方は、前記直交する方向に並んで配置され、各々が前記搬送方向に沿って延在するとともに記録媒体を支持するための支持面が形成された複数の第２部材を有し、
前記複数の第１部材は、
少なくともいずれかが前記直交する方向に関して隣接する２つの前記第２部材の間に配置され、かつ、各々が前記直交する方向に関して前記複数の第２部材の各々と異なる位置に配置されるとともに前記搬送方向に関して前記複数の第２部材と重なる位置に配置されることを特徴とする記録装置。
【請求項２】
前記各第１部材は、前記各第１部材の上流端から前記搬送方向下流に向かうに連れて上方に傾斜する第１傾斜面を有していることを特徴とする請求項１に記載の記録装置。
【請求項３】
前記直交する方向に関して、隣接する前記第１部材と前記第２部材との離隔距離が、隣接する２つの前記第２部材間の半分の距離よりも小さいことを特徴とする請求項１又は２に記載の記録装置。
【請求項４】
前記各第１部材は、前記搬送方向に沿う第１側面を有しており、
前記各第２部材は、前記搬送方向に沿う第２側面を有しており、
前記支持部材が前記対向位置と前記退避位置との間を移動する際に、前記第１側面の少なくとも一部分は、前記第２側面に当接していることを特徴とする請求項３に記載の記録装置。
【請求項５】
前記第２部材は、前記上流ガイド部材に設けられた複数の上流第２部材と、前記下流ガイド部材に設けられた複数の下流第２部材とを有し、
前記複数の上流第２部材は、前記複数の下流第２部材と前記直交する方向において同じ位置に配置されることを特徴とする請求項１〜４のいずれかに記載の記録装置。
【請求項６】
前記複数の下流第２部材の各々は、前記各下流第２部材の上流端から前記搬送方向下流に向かうに連れて上方に傾斜する第２傾斜面を有していることを特徴とする請求項５に記載の記録装置。
【請求項７】
前記移動機構は、前記対向位置から前記退避位置に向けて、前記支持部材を前記搬送方向上流側に移動させるものであり、
前記各第１部材の前記搬送方向の上流端の高さは、前記上流第２部材以下であることを特徴とする請求項５又は６に記載の記録装置。
【請求項８】
前記移動機構は、前記対向位置から前記退避位置に向けて、前記支持部材を前記搬送方向下流側に移動させるものであり、
前記下流第２部材の各々の前記搬送方向の上流端の高さは、前記支持部材が前記対向位置にあるときに、前記第１部材以下であることを特徴とする請求項５又は６のいずれかに記載の記録装置。
【請求項９】
前記支持部材は、上流支持部と、前記搬送方向に関して前記上流支持部よりも下流に配置された下流支持部とを有し、
前記移動機構は、前記上流支持部が前記吐出面と対向する第１対向位置と前記吐出面と対向しない第１退避位置とを取り得るように前記上流支持部を移動させ、かつ、前記第１対向位置から前記第１退避位置に向けて前記上流支持部を前記搬送方向上流側に移動させるものであるとともに、前記下流支持部が前記吐出面と対向する第２対向位置と前記吐出面と対向しない第２退避位置とを取り得るように前記下流支持部を移動させ、かつ、前記第２対向位置から前記第２退避位置に向けて前記下流支持部を前記搬送方向下流側に移動させるものであり、
前記上流支持部は、前記複数の第１部材の上流部分を構成する複数の上流第１部材を有し、
前記下流支持部は、前記複数の第１部材の下流部分を構成する複数の下流第１部材を有し、
前記上流第１部材と前記下流第１部材は、前記上流支持部が前記第１対向位置にありかつ前記下流支持部が前記第２対向位置にあるときに、前記搬送方向に関して近接し、前記上流支持部が前記第１退避位置にありかつ前記下流支持部が前記第２退避位置にあるときに、前記搬送方向に関して互いに離隔することを特徴とする請求項５又は６に記載の記録装置。
【請求項１０】
前記複数の下流第１部材は、前記搬送方向と直交する方向において、前記複数の上流第１部材と同じ位置に配置されており、
前記上流支持部及び前記下流支持部の少なくともいずれか一方は、前記上流支持部が前記第１対向位置にありかつ前記下流支持部が前記第２対向位置にあるときに、前記搬送方向と直交する方向において、隣接する２つの前記下流第１部材の間かつ隣接する２つの前記上流第１部材の間に配置される複数の第３部材を有することを特徴とする請求項９に記載の記録装置。
【請求項１１】
前記搬送機構は、前記支持部材に取り付けられた第１ローラと、前記第１ローラとによって記録媒体を挟持しながら回転することで記録媒体を前記搬送方向に搬送するための第２ローラとを有しており、
前記第１ローラは、前記支持部材が前記対向位置にあるときに、前記第２ローラと対向し前記第２ローラとによって記録媒体を挟持可能な第１位置に配置され、前記支持部材が前記退避位置にあるときに、前記第２ローラとの離隔距離が前記第１位置にあるときよりも大きい第２位置に配置されることを特徴とする請求項１〜１０のいずれか１項に記載の記録装置。
【請求項１２】
駆動モータをさらに備え、
前記第２ローラは、前記駆動モータからの駆動力によって回転する駆動ローラであり、
前記第１ローラは、前記第２ローラの回転に伴って回転する従動ローラであることを特徴とする請求項１１に記載の記録装置。
【請求項１３】
前記第１ローラは、前記直交する方向に関して、隣接する２つの前記第２部材間に配置されることを特徴とする請求項１１又は１２に記載の記録装置。
【請求項１４】
前記対向位置にある前記支持部材を挟んで前記吐出面と対向する位置に配置され、前記支持部材が前記退避位置にあるときに前記吐出面をメンテナンスするメンテナンス機構をさらに備えていることを特徴とする請求項１〜１３のいずれか１項に記載の記録装置。
【請求項１５】
前記メンテナンス機構が、前記吐出面を封止するためのキャップを有していることを特徴とする請求項１４に記載の記録装置。
【請求項１６】
前記メンテナンス機構が、前記吐出口から排出された液体を受容するための受容部を有していることを特徴とする請求項１４に記載の記録装置。
【発明の詳細な説明】
【技術分野】
【０００１】
本発明は、記録媒体に液体を吐出して画像を記録する記録装置に関する。
【背景技術】
【０００２】
特許文献１には、矩形状の薄板からなる２つの搬送ガイド１４１，１４２と、これら搬送ガイド１４１，１４２をインクジェットヘッド１５０と対向する対向位置と対向しない退避位置との間において移動させる２つの駆動部１４３，１４４とを有するインクジェットプリンタについて記載されている。２つの搬送ガイド１４１，１４２は、フレーム１０６の上面上に配置されている。このインクジェットプリンタにおいては、印刷時に２つの搬送ガイド１４１，１４２が対向位置に配置され、フラッシングやキャッピングなどのメンテナンス時に２つの搬送ガイド１４１，１４２が退避位置に配置される。
【先行技術文献】
【特許文献】
【０００３】
【特許文献１】特開２０１０−２０８２４１号公報（図２及び図４）
【発明の概要】
【発明が解決しようとする課題】
【０００４】
上記特許文献１に記載されたインクジェットプリンタにおいて、印刷時には、２つの搬送ガイド１４１，１４２が対向位置に配置される。このとき、フレーム１０６の上面の上流端部分は、給紙機構から搬送されてきた用紙を支持するガイド面を構成すると考えられる。この結果、このガイド面と上流側の搬送ガイド１４１とによって、搬送ガイド１４１の上流部分に段差が形成される。このため、給紙機構から搬送されてきた用紙の先端が、段差に引っ掛かってジャムが生じ得る。
【０００５】
本発明の目的は、記録媒体のジャムの発生を抑制することが可能な記録装置を提供することである。
【課題を解決するための手段】
【０００６】
本発明の記録装置は、液体を吐出するための複数の吐出口が形成された吐出面を有するヘッドと、前記吐出面と対向する領域に記録媒体を搬送するための搬送機構と、前記吐出面と対向する記録媒体を支持するための支持部材と、前記支持部材が前記吐出面と対向する対向位置と前記吐出面と対向しない退避位置とを取り得るように、前記搬送機構によって搬送される記録媒体の搬送方向に沿って前記支持部材を移動させる移動機構と、前記搬送方向に関して前記ヘッドよりも上流に配置され、記録媒体を支持するための上流ガイド部材と、前記搬送方向に関して前記ヘッドよりも下流に配置され、記録媒体を支持するための下流ガイド部材とを備えている。そして、前記支持部材は、前記搬送方向と直交する方向に並んで配置され、各々が前記搬送方向に沿って延在するとともに記録媒体を支持するための支持面が形成された複数の第１部材を有し、前記上流ガイド部材及び前記下流ガイド部材の少なくともいずれか一方は、前記直交する方向に並んで配置され、各々が前記搬送方向に沿って延在するとともに記録媒体を支持するための支持面が形成された複数の第２部材を有し、前記複数の第１部材は、少なくともいずれかが前記直交する方向に関して隣接する２つの前記第２部材の間に配置され、かつ、各々が前記直交する方向に関して前記複数の第２部材の各々と異なる位置に配置されるとともに前記搬送方向に関して前記複数の第２部材と重なる位置に配置される。
【発明の効果】
【０００７】
本発明の記録装置によると、搬送方向に沿って移動可能な支持部材を有していても、支持部材と上流及び下流ガイド部材との間に、記録媒体の先端が引っ掛かる段差が形成されるのを抑制することができる。このため、記録媒体のジャムの発生を抑制することができる。
【図面の簡単な説明】
【０００８】
【図１】本発明の記録装置の一実施形態によるインクジェットプリンタの内部構造を示す概略側面図である。
【図２】図１に示す搬送装置の部分斜視図であり、プラテンが対向位置にあるときの状況図である。
【図３】図２に示すIII−III線に沿った断面図である。
【図４】図２に示すガイド部材及び上流支持部の分解斜視図である。
【図５】図２に示すガイド部材及び下流支持部の分解斜視図である。
【図６】プラテン及び移動機構の平面図である。
【図７】図１に示す搬送装置の部分斜視図であり、プラテンが退避位置にあるときの状況図である。
【図８】プリンタの電気的構成を示すブロック図である。
【図９】プリンタの部分側面図であり、（ａ）はプラテンが退避位置にあって対向部材が待機位置にあるときの状況を示す図であり、（ｂ）はプラテンが退避位置にあって対向部材がインク受容位置にあるときの状況を示す図であり、（ｃ）はプラテンが退避位置にあって環状部材がインク受容位置にある対向部材に当接する位置にあるときの状況を示す図である。
【図１０】搬送装置の変形例を示す部分平面図である。
【図１１】記録支持部の変形例を示す部分斜視図であり、プラテンが対向位置にあるときの状況図である。
【図１２】記録支持部の別の変形例を示す部分斜視図であり、プラテンが対向位置にあるときの状況図である。
【発明を実施するための形態】
【０００９】
以下、本発明の好適な実施の形態について、図面を参照しつつ説明する。
【００１０】
先ず、図１を参照し、本発明に係る記録装置の一実施形態としてのインクジェットプリンタ１の全体構成について説明する。
【００１１】
プリンタ１は、直方体形状の筐体１ａを有する。筐体１ａの天板上部には、排紙部４が設けられている。筐体１ａの内部空間は、上から順に空間Ａ，Ｂに区分されている。空間Ａ，Ｂには、給紙部２３から排紙部４に向かう用紙搬送経路が形成されており、用紙Ｐが図１中黒太矢印に沿って搬送される。空間Ａでは、用紙Ｐへの画像記録、及び、用紙Ｐの排紙部４への搬送が行われる。空間Ｂでは、給紙部２３から用紙搬送経路への給紙が行われる。
【００１２】
空間Ａには、ブラックインクを吐出するヘッド２、搬送装置３、対向部材１０及び対向部材昇降機構１１（図８参照）等が配置されている。また、空間Ａには、図示しないカートリッジが装着されている。このカートリッジには、ブラックインクが貯留されている。カーリッジは、チューブ（図示せず）及びポンプ８（図８参照）を介してヘッド２と接続され、インクがヘッド２に供給される。
【００１３】
ヘッド２は、主走査方向に長尺な略直方体形状を有するライン式のヘッドである。ヘッド２の下面は、多数の吐出口（不図示）が開口した吐出面２ａである。記録に際して、吐出面２ａからブラックインクが吐出される。ヘッド２は、ヘッドホルダ２ｂを介して筐体１ａに支持されている。ヘッドホルダ２ｂは、吐出面２ａがプラテン５１（後述する）との間に記録に適した所定の間隙が形成されるように、ヘッド２を保持している。
【００１４】
搬送装置３は、上流ガイド部３０、下流ガイド部４０、及び、記録支持部５０を有している。記録支持部５０は、ヘッド２の吐出面２ａと対向するプラテン５１と、搬送ローラ対５８（図２参照）とを有している。プラテン（支持部材）５１は、吐出面２ａとの間に記録領域（用紙搬送経路の一部）を構成する。搬送ローラ対５８は、制御装置１００の制御によって搬送モータ５８Ｍ（図８参照）が駆動されることで回転し、用紙Ｐを図１中搬送方向Ｄに沿って搬送する。
【００１５】
上流ガイド部３０と下流ガイド部４０は、プラテン５１を挟んで配置されている。上流ガイド部３０は、３つのガイド部材３１〜３３と、２つの搬送ローラ対３５，３６とを有し、記録領域（プラテン５１とヘッド２との間）と、給紙部２３とを繋ぐ。２つの搬送ローラ対３５，３６は、制御装置１００の制御によって搬送モータ３５Ｍ，３６Ｍ（図８参照）が駆動されることで回転し、用紙Ｐを記録領域に向けて搬送する。
【００１６】
下流ガイド部４０は、３つのガイド部材４１〜４３と、３つの搬送ローラ対４５〜４７とを有し、記録領域と排紙部４とを繋ぐ。３つの搬送ローラ対４５〜４７は、制御装置１００の制御によって搬送モータ４５Ｍ〜４７Ｍ（図８参照）が駆動されることで回転し、用紙Ｐを排紙部４に向けて搬送する。なお、用紙搬送経路は、６つのガイド部材３１〜３３，４１〜４３、プラテン５１及びヘッド２によって規定されている。
【００１７】
対向部材１０は、図１に示すように、プラテン５１よりも下方に配置され、プラテン５１を介して吐出面２ａと対向している。また、対向部材１０は、矩形平面形状を有するガラス板から構成されており、平面サイズが吐出面２ａよりも一回り大きい（図６参照）。なお、対向部材１０は、ガラス以外の材質から構成されていてもよく、特に限定するものではない。
【００１８】
対向部材昇降機構１１は、対向部材１０を鉛直方向に昇降させ、対向部材１０が待機位置とインク受容位置との間で移動する。待機位置は、図１及び図９（ａ）に示す位置であって、対向部材１０が吐出面２ａから最も離れた位置である。インク受容位置は、図９（ｂ）に示す位置であって、対向部材１０が吐出面２ａに最も近づく位置であり、ヘッド２から排出されたインクを受容する位置及び受容したインクを表面１０ａから払拭する位置、及び、ヘッド２の吐出面２ａを封止する位置である。また、ヘッド２の側方には、吐出面２ａの外周を覆う環状部材１２が配置されている。環状部材昇降機構１３は、インク受容位置にある対向部材１０に環状部材１２が当接する位置（図９（ｃ）に示す位置）と当接しない位置（図９（ａ）に示す位置）とを取り得るように、環状部材１２を鉛直方向に昇降させる。これら対向部材１０、対向部材昇降機構１１、環状部材１２、及び、環状部材昇降機構１３により、メンテナンス機構が構成されている。これにより、ヘッド２をメンテナンスすることが可能となる。
【００１９】
空間Ｂには、給紙部２３が配置されている。給紙部２３は、給紙トレイ２４及び給紙ローラ２５を有する。このうち、給紙トレイ２４が、筐体１ａに対して着脱可能となっている。給紙トレイ２４は、上方に開口する箱であり、複数の用紙Ｐを収容可能である。給紙ローラ２５は、制御装置１００の制御によって給紙モータ２５Ｍ（図８参照）が駆動されることで回転し、給紙トレイ２４内で最も上方にある用紙Ｐを送り出す。
【００２０】
ここで、副走査方向とは、搬送ローラ対３６，５８によって搬送される用紙搬送方向Ｄと平行な方向であり、主走査方向とは、水平面に平行且つ副走査方向に直交する方向である。
【００２１】
制御装置１００は、プリンタ１各部の動作を制御してプリンタ１全体の動作を司る。制御装置１００は、外部装置（プリンタ１と接続されたＰＣ等）から供給された記録指令に基づいて、記録動作を制御する。制御装置１００は、記録指令を受けると、給紙ローラ２５、搬送ローラ対３５，３６，４５〜４７，５８を駆動する。給紙トレイ２４から送り出された用紙Ｐは、上流側ガイド部３０によりガイドされプラテン５１上に送られる。用紙Ｐは、ヘッド２の真下を副走査方向（搬送方向Ｄ）に通過する際に、制御装置１００の制御により、吐出面２ａからインクが吐出され、所望の画像が形成される。なお、インクの吐出タイミングは、用紙センサ７からの検知信号により決められる。そして、画像が形成された用紙Ｐは、下流側ガイド部４０によりガイドされて、筐体１ａの上部から排紙部４に排出される。用紙センサ７は、搬送方向Ｄに関して、搬送ローラ対３６とヘッド２との間に配置されている。
【００２２】
また、制御装置１００は、ヘッド２の液体吐出特性の回復を行うメンテナンス動作を制御する。メンテナンス動作には、パージ動作、吐出面２ａ及び対向部材１０に対する払拭動作、キャップ動作等が含まれる。パージ動作では、ポンプ８が駆動されて、すべての吐出口に対してインクが強制的に圧送され、対向部材１０上にインクが排出される。払拭動作は、パージ動作後に行われ、吐出面２ａ上の残留したインクなどの異物、及び、対向部材１０の表面１０ａの残留したインクなどの異物が取り除かれる。キャップ動作は、環状部材１２が、インク受容位置にある対向部材１０と当接することにより、吐出面２ａと対向部材１０との間の空間を外部空間に対して封止する。これら対向部材１０と環状部材１２とによって吐出面２ａを封止するキャップが構成される。
【００２３】
次に、図２〜図７を参照しつつ、ガイド部材３３，４１及び記録支持部５０について、詳細に説明する。記録支持部５０のプラテン５１は、図２及び図３に示すように、上流支持部６１と、搬送方向Ｄに関して上流支持部６１の下流に配置された下流支持部７１とを有する。
【００２４】
上流支持部６１は、図４に示すように、矩形平面形状を有する板状の基部６２と、副走査方向（搬送方向Ｄ）に延在する３つの板状の延在部６３と、副走査方向に延在する長尺な６つのリブ６４とを有し、これらが一体的に形成されている。基部６２は、搬送方向下流端から鉛直方向に立ち上がり且つ主走査方向に延在する接続部６２ａを有する。３つの延在部６３は、接続部６２ａを介して基部６２と一体的に繋がっている。３つの延在部６３は、基部６２の上方において当該基部６２と離隔し、且つ、主走査方向に関して互いに離隔して等間隔に配置されている。また、３つの延在部６３は、互いの上面６３ａが同一高さレベルになるように配置されている。
【００２５】
６つのリブ（上流第１部材）６４は、各延在部６３の主走査方向の両端に形成され、搬送方向下流端が接続部６２ａに繋がっている。また、各リブ６４は、上流端が延在部６３の上流端よりも搬送方向に沿って突出している。また、６つのリブ６４は、主走査方向に関して互いに離隔して配置されている。より具体的には、６つのリブ６４は、延在部６３を挟まずに隣接する２つのリブ６４の離隔距離が、延在部６３を挟んで隣接する２つのリブ６４の離隔距離よりも小さくなるように、配置されている。６つのリブ６４の上面（支持面）６４ａは、延在部６３の上面６３ａよりも高く、用紙Ｐを支持する。また、リブ６４には、図３及び図４に示すように、傾斜面６４ａ１が形成されている。傾斜面（第１傾斜面）６４ａ１は、搬送方向Ｄに関して、リブ６４の上流端から下流に向かうに連れて上方に傾斜する。これにより、リブ６４の上流端の高さが、上面６４ａよりも低くなる。
【００２６】
上流支持部６１は、副走査方向に関して、リブ６４よりも短い短尺の２つのリブ（第３部材）６５を有する。各リブ６５は、接続部６２ａの上端に固定され、主走査方向に関して延在部６３ａを挟まずに隣接する２つのリブ６４間に配置されている。リブ６５は、搬送方向Ｄに関して、リブ６４の下流端から下流に向かって突出するように配置されている。また、リブ６５の上面６５ａは、リブ６４の上面６４ａと同じ高さレベルに配置されている。リブ６５には、図３及び図４に示すように、傾斜面６５ａ１が形成されている。傾斜面６５ａ１は、搬送方向Ｄに関して、リブ６５の上流端から下流に向かうに連れて上方に傾斜する。これにより、リブ６５の上流端の高さが、上面６５ａ及びリブ６４の上面６４ａよりも低くなる。
【００２７】
基部６２の上流端であって主走査方向の一端（図４中紙面手前側）には、位置決め用の当接部６６が形成されている。当接部６６は、Ｌ字状の断面形状を有する。搬送ローラ対５８は、図２に示すように、主走査方向に関して延在する長尺なローラ５８ａと、３つのローラ５８ｂとを有する。ローラ（第２ローラ）５８ａは、主走査方向に関する一端がフランジ５９によって回転可能に支持され、他端が筐体１ａに回転可能に支持される。なお、フランジ５９は、筐体１ａに固定されている。ローラ５８ａは、駆動ローラであって搬送モータ５８Ｍの回転力が伝達されることで回転する。ローラ５８ａは、３つのローラ５８ｂとによって用紙Ｐを挟持しながら回転することで、用紙Ｐを搬送方向Ｄに搬送する。３つのローラ（第１ローラ）５８ｂは、主走査方向に関して、ローラ５８ａよりも短い。各ローラ５８ｂは、延在部６３よりも搬送方向上流に配置され、当該延在部６３に形成された２つのリブ６４間に配置され当該２つのリブ６４に回転可能に支持されている。３つのローラ５８ｂは、従動ローラであって、ローラ５８ａの回転に伴って回転する。このようにリブ６４は、用紙Ｐを支持する機能と、ローラ５８ｂを支持する機能とを兼用することができる。
【００２８】
下流支持部７１は、図５に示すように、矩形平面形状を有する板状の基部７２と、副走査方向に延在する３つの板状の延在部７３と、副走査方向に延在する長尺な６つのリブ７４とを有し、これらが一体的に形成されている。基部７２は、搬送方向上流端から鉛直方向に立ち上がり且つ主走査方向に延在する接続部７２ａを有する。３つの延在部７３は、接続部７２ａを介して基部７２と一体的に繋がっている。３つの延在部７３は、基部７２の上方において当該基部７２と離隔し、且つ、主走査方向に関して互いに離隔して等間隔に配置されている。また、３つの延在部７３は、互いの上面７３ａが同一高さレベルになるように配置されている。
【００２９】
６つのリブ（下流第１部材）７４は、各延在部７３の主走査方向の両端に形成され、搬送方向上流端が接続部７２ａに繋がっている。また、各リブ７４は、搬送方向Ｄに関して、接続部７２ａから上流に向かって突出している。また、６つのリブ７４は、主走査方向に関して互いに離隔して配置されている。より具体的には、６つのリブ７４は、延在部７３を挟まずに隣接する２つのリブ７４の離隔距離が、延在部７３を挟んで隣接する２つのリブ７４の離隔距離よりも小さくなるように、配置されている。６つのリブ７４の上面（支持面）７４ａは、延在部７３の上面７３ａよりも高く、用紙Ｐを支持する。また、６つのリブ７４は、主走査方向に関して、６つのリブ６４と同じ位置に配置されている。つまり、図２に示すように、各リブ６４，７４同士も搬送方向Ｄに突き合わすことが可能に配置されている。また、リブ７４の上面７４ａは、リブ６４の上面６４ａ及びリブ６５の上面６５ａと同じ高さレベルに配置されている。また、リブ７４には、図３及び図５に示すように、傾斜面７４ａ１が形成されている。傾斜面７４ａ１は、搬送方向Ｄに関して、リブ７４の上流端から下流に向かうに連れて上方に傾斜する。これにより、リブ７４の上流端の高さが、上面７４ａよりも低くなる。つまり、リブ７４の上流端の高さは、リブ６４の上面６４ａ及びリブ６５の上面６５ａ以下となる。
【００３０】
記録支持部５０は、図６に示すように、移動機構５３をさらに有する。移動機構５３は、上流支持部６１の両側面から突出した２つの突出部５３ａ，５３ｂと、下流支持部７１の両側面から突出した２つの突出部５４ａ，５４ｂと、２つのラック５５ａ，５５ｂと、２本のガイド軸５６ａ，５６ｂと、２つの駆動モータ５７とを有している。なお、移動機構５３の全体構成は、説明の便宜上、図６にのみ示す。
【００３１】
各突出部５３ａ，５３ｂ，５４ａ，５４ｂの中央には、副走査方向に貫通する孔が形成されている。２本のガイド軸５６ａ，５６ｂは、副走査方向に平行に延在し、副走査方向に関してプラテン５１を挟んでいる。ガイド軸５６ａは突出部５３ａ，５４ａの孔に挿通され、ガイド軸５６ｂは突出部５３ｂ，５４ｂの孔に挿通されており、上流支持部６１及び下流支持部７１を副走査方向に移動可能に支持している。各駆動モータ５７の駆動軸の先端にはピニオン５７ａ，５７ｂが固定されている。ラック５５ａは、ピニオン５７ａと噛み合う状態で突出部５３ａに固定されている。ラック５５ｂは、ピニオン５７ｂと噛み合う状態で突出部５４ａに固定されている。
【００３２】
この構成において、移動機構５３は、制御装置１００の制御により、２つの駆動モータ５７が駆動されることで、２つのラック５５ａ，５５ｂが副走査方向に沿って互いに反対方向に移動する。つまり、移動機構５３は、プラテン５１が吐出面２ａと対向する対向位置と吐出面２ａと対向しない退避位置との間において、上流支持部６１及び下流支持部７１を副走査方向に沿って互いに反対方向に移動させる。具体的には、上流支持部６１が対向位置（吐出面２ａと対向する第１対向位置）から退避位置（吐出面２ａと対向しない位置であって吐出面２ａよりも搬送方向上流の第１退避位置）に移動する際は、図７に示すように、上流支持部６１が搬送方向上流側に向かって移動する。一方、下流支持部７１が対向位置（吐出面２ａと対向する第２対向位置）から退避位置（吐出面２ａと対向しない位置であって吐出面２ａよりも搬送方向下流の第２退避位置）に移動する際は、図７に示すように、下流支持部７１が搬送方向下流側に向かって移動する。なお、上流支持部６１及び下流支持部７１が退避位置から対向位置に移動する際は、この逆に移動する。
【００３３】
対向位置（第１対向位置及び第２対向位置）は、図２及び図３に示す位置であって、上流支持部６１と下流支持部７１の互いに対向する端部同士が突き合わされた位置である。プラテン５１が対向位置にあるときは、リブ６４，７４が突き合わされた状態となって両者が搬送方向Ｄに近接し、リブ６５とリブ７４の上流端とが搬送方向に関して重なる。このとき、各リブ６４，６５，７４の上面６４ａ，６５ａ，７４ａの高さが同じであるため、これら上面６４ａ，６５ａ，７４ａによって用紙Ｐが支持される。また、このとき、リブ７４の上流端の高さがリブ６５の上面６５ａの高さ以下である。このため、上流支持部６１と下流支持部７１との間に、用紙Ｐの先端が引っ掛かる山型（搬送方向Ｄの下流側が凸となる形状）の段差が形成されにくくなる。この結果、用紙Ｐのジャムの発生を抑制することができる。
【００３４】
退避位置は、図７及び図９に示す位置であって、上流支持部６１と下流支持部７１の互いに対向する端部同士が離隔し、両者間に対向部材１０が配置可能となる位置である。つまり、上流支持部６１が吐出面２ａよりも搬送方向上流の第１退避位置に配置され、下流支持部７１が吐出面２ａよりも搬送方向下流の第２退避位置に配置される。このとき、吐出面２ａとプラテン５１とは対向せず、吐出面２ａは、対向部材１０と空間を介して直接対向する。このため、対向部材１０が昇降可能となる。なお、上流支持部６１及び下流支持部７１は、通常、対向位置に配置され、メンテナンス時に退避位置に配置される。
【００３５】
搬送ローラ対５８の３つのローラ５８ｂは、プラテン５１が対向位置にあるときに、ローラ５８ａと対向し当該ローラ５８ａとによって用紙Ｐを挟持可能な第１位置に配置される。一方、３つのローラ５８ｂは、プラテン５１が退避位置にあるときに、ローラ５８ａとの離隔距離が第１位置にあるときよりも大きい第２位置に配置される。これにより、プラテン５１（上流支持部６１）が退避位置にあるときに、ローラ５８ａとローラ５８ｂとの離隔距離が大きくなる。このため、両ローラ５８ａ，５８ｂ間にジャムした用紙Ｐがある場合に、当該用紙Ｐを除去しやすくなる。また、プラテン５１が対向位置にあるときは、当接部６６がフランジ５９と当接する。これにより、ローラ５８ａと３つのローラ５８ｂとの位置決めを確実に行うことが可能となる。
【００３６】
ガイド部材３３は、図４に示すように、矩形平面形状を有する板状の基部３３ａと、基部３３ａの上面に形成され、副走査方向に延在する長尺な４つのリブ３３ｂとを有している。なお、ガイド部材３３は、筐体１ａに固定されている。基部３３ａは、図３に示すように、鉛直方向に関して、基部６２よりも上方であって延在部６３及びリブ６４よりも下方に配置されている。つまり、基部３３ａは、上流支持部６１の基部６２と延在部６３及びリブ６４との間の隙間に出入り可能であり、上流支持部６１が対向位置（第１対向位置）から退避位置（第１退避位置）に移動しても、上流支持部６１と干渉しない。
【００３７】
リブ（上流第２部材）３３ｂは、図２及び図７に示すように、プラテン５１が対向位置及び退避位置のいずれにあるときも、搬送方向Ｄに関して、リブ６４と重なっている。また、リブ３３ｂは、図４に示すように、主走査方向に関して、互いに離隔して等間隔に配置されている。より具体的には、隣接する２つのリブ３３ｂの離隔距離は、１つの延在部６３に形成された２つのリブ６４の離隔距離よりも大きい。また、４つのリブ３３ｂのうち、中央側にある２つのリブ３３ｂは、主走査方向に関して、延在部６３を挟まない隣接する２つのリブ６４間にそれぞれ配置されている。つまり、中央側にある２つのリブ３３ｂは、主走査方向に関して、２つのリブ６５と同じ位置に配置されている。このように４つのリブ３３ｂが構成され、隣接するリブ３３ｂとリブ６４との離隔距離が、隣接する２つのリブ３３ｂ間の半分の離隔距離よりも小さい。このため、リブ６４がリブ３３ｂ間の中央よりもリブ３３ｂ寄りに配置される。また、４つのリブ３３ｂは、主走査方向に関して、リブ３３ｂのリブ６４と対向する側面（第２側面）３３ｄとリブ６４の側面３３ｄと対向する側面（第１側面）６４ｂとが当接するように、配置されている。これにより、リブ６４がリブ３３ｂに当接しながら上流支持部６１が対向位置と退避位置との間を移動する。このため、上流支持部６１を副走査方向に移動させる際に、主走査方向に関して、上流支持部６１を移動させないような高精度のガイド機構を、移動機構５３に設ける必要がなくなる。この結果、移動機構５３の構成が簡単になる。加えて、リブ６５は、主走査方向に関して、リブ３３ｂと同じ位置に配置されているため、プラテン５１が対向位置にあるときに互いに対向するリブ６４の側面６４ｂとリブ６５の側面も、当接する。このため、上流支持部６１と下流支持部７１の主走査方向の位置決めを行うことが可能となる。
【００３８】
リブ３３ｂの上面３３ｃは、リブ６４の上面６４ａと同一高さレベルに配置されている。これにより、リブ６４の上流端の高さは、リブ３３ｂの上面３３ｃ以下となる。このため、図３に示すように、ガイド部材３３と上流支持部６１との間に、用紙Ｐの先端が引っ掛かる山型の段差が形成されにくくなる。この結果、用紙Ｐがガイド部材３３のリブ３３ｂの上面３３ｃによって支持されながら搬送されてきても、用紙Ｐのジャムの発生を抑制することができる。
【００３９】
ガイド部材４１は、図５に示すように、ガイド部材３３とほぼ同様な構成である。具体的には、ガイド部材４１は、板状の基部４１ａと、基部４１ａの上面に形成され、副走査方向に延在する長尺な４つのリブ４１ｂとを有している。なお、ガイド部材４１も、筐体１ａに固定されている。基部４１ａは、図３に示すように、鉛直方向に関して、基部７２よりも上方であって延在部７３及びリブ７４よりも下方に配置されている。つまり、基部４１ａは、下流支持部７１の基部７２と延在部７３及びリブ７４との間の隙間に出入り可能であり、下流支持部７１が対向位置（第２対向位置）から退避位置（第２退避位置）に移動しても、下流支持部７１と干渉しない。
【００４０】
リブ（下流第２部材）４１ｂは、図２及び図７に示すように、プラテン５１が対向位置及び退避位置のいずれにあるときも、搬送方向Ｄに関して、リブ７４と重なっている。また、リブ４１ｂは、図５に示すように、主走査方向に関して、互いに離隔して等間隔に配置されている。より具体的には、４つのリブ４１ｂは、主走査方向に関して、ガイド部材３３の４つのリブ３３ｂと同じ位置に配置されている。このように４つのリブ４１ｂが構成され、隣接するリブ４１ｂとリブ７４との離隔距離が、隣接する２つのリブ４１ｂ間の半分の離隔距離よりも小さい。このため、リブ７４がリブ４１ｂ間の中央よりもリブ４１ｂ寄りに配置される。また、４つのリブ４１ｂは、主走査方向に関して、リブ４１ｂのリブ７４と対応する側面（第２側面）４１ｄと、リブ７４のリブ４１ｂの側面４１ｄと対向する側面（第１側面）７４ｂとが当接するように、配置されている。これにより、リブ７４がリブ４１ｂに当接しながら下流支持部７１が対向位置と退避位置との間を移動する。このため、下流支持部７１を副走査方向に移動させる際に、主走査方向に関して、下流支持部７１を移動させないような高精度のガイド機構を、移動機構５３に設ける必要がなくなる。この結果、移動機構５３の構成が簡単になる。
【００４１】
リブ４１ｂの上面４１ｃは、リブ７４の上面７４ａと同一高さレベルに配置されている。また、リブ４１ｂには、図３及び図５に示すように、傾斜面４１ｃ１が形成されている。傾斜面４１ｃ１（第２傾斜面）は、搬送方向Ｄに関して、リブ４１ｂの上流端から下流に向かうに連れて上方に傾斜する。これにより、リブ４１ｂの上流端の高さが、上面４１ｃよりも低くなる。つまり、リブ４１ｂの上流端の高さは、リブ７４の上面７４ａ以下となる。このため、図３に示すように、下流支持部７１とガイド部材４１との間に、用紙Ｐの先端が引っ掛かる山型の段差が形成されにくくなる。この結果、用紙Ｐが下流支持部７１のリブ７４の上面７４ａによって支持されながら搬送されてきても、用紙Ｐのジャムの発生を抑制することができる。
【００４２】
次に、図８を参照し、プリンタ１の電気的構成について説明する。
【００４３】
制御装置１００は、演算処理装置であるＣＰＵ（Central Processing Unit）１０１に加えて、ＲＯＭ（Read Only Memory）１０２、ＲＡＭ（Random Access Memory：不揮発性ＲＡＭを含む）１０３、ＡＳＩＣ（Application Specific Integrated Circuit ）１０４、Ｉ／Ｆ（Interface）１０５、Ｉ／Ｏ（Input/Output Port）１０６等を有する。ＲＯＭ１０２には、ＣＰＵ１０１が実行するプログラム、各種固定データ等が記憶されている。ＲＡＭ１０３には、プログラム実行時に必要なデータが一時的に記憶される。ＡＳＩＣ１０４では、画像データの書き換え、並び替え等（例えば、信号処理や画像処理）が行われる。Ｉ／Ｆ１０５は、外部装置（プリンタ１に接続されたＰＣ等）とのデータ送受信を行う。Ｉ／Ｏ１０６は、各種センサの検知信号の入力／出力を行う。
【００４４】
制御装置１００は、給紙モータ２５Ｍ、搬送モータ３５Ｍ，３６Ｍ，４５Ｍ〜４７Ｍ，５８Ｍ、駆動モータ５７、用紙センサ７、ポンプ８、対向部材昇降機構１１、環状部材昇降機構１３、及び、ヘッド２の制御基板等に接続されている。
【００４５】
続いて、制御装置１００が実行する記録動作について、以下に説明する。プリンタ１は、記録指令を受信すると、上述の記録動作を実行する。
【００４６】
このとき、プラテン５１が退避位置にあるときは、用紙Ｐの搬送を開始する前に、制御装置１００が移動機構５３を制御して、プラテン５１を対向位置に移動させる。また、プラテン５１が対向位置にあるときは、この状態が維持される。そして、制御装置１００は、各モータを制御して、給紙ローラ２５、搬送ローラ対３５，３６，４５〜４７，５８を駆動する。給紙トレイ２４から送り出された用紙Ｐは、上流側ガイド部３０によりガイドされプラテン５１上に送られる。
【００４７】
プラテン５１が対向位置にあるときは、上流支持部６１のリブ６４の上流端の高さが、リブ３３ｂの上面３３ｃ以下となる。加えて、下流支持部７１のリブ７４の上流端の高さが、リブ６５の上面６５ａ及びリブ６４の上面６４ａ以下となる。さらに、ガイド部材４１のリブ４１ｂの上流端の高さが、リブ７４の上面７４ａ以下となる。これらより、ガイド部材３３と上流支持部６１との間、上流支持部６１と下流支持部７１との間、及び、下流支持部７１とガイド部材４１との間に、山型の段差が形成されなくなる。この結果、ガイド部材３３及びプラテン５１（上流支持部６１及び下流支持部７１）によって支持されながら用紙Ｐが搬送されてきても、用紙Ｐのジャムの発生を抑制することができる。
【００４８】
また、このとき、用紙Ｐの先端辺の一部がリブ３３ｂの上面３３ｃよりも低くなるように撓んだ状態で搬送されても、リブ６４がリブ３３ｂ間の中央よりもリブ３３ｂ寄りに配置されているため、用紙Ｐの先端がリブ６４の上流端に当接しにくくなる。用紙Ｐの先端辺の一部がリブ３３ｂ間で撓むと、リブ３３ｂ間の中央に近づくに連れて、用紙Ｐの先端が低くなる。このため、リブ６４がリブ３３ｂ間の中央にあると、用紙Ｐの先端がリブ６４の上流端に引っ掛かって、用紙Ｐにジャムが生じる虞がある。しかしながら、リブ６４をリブ３３ｂ寄りに配置させることで、用紙Ｐの先端とリブ３３ｂ間の中央よりも高い位置で当接させることが可能となる。この結果、用紙Ｐの先端がリブ６４の上流端に当接しにくくなる。
【００４９】
また、このとき、用紙Ｐの先端辺の一部がリブ３３ｂの上面３３ｃよりも低くなるように撓んだ状態で搬送されても、リブ６４が傾斜面６４ａ１を有していることで、用紙Ｐの先端が傾斜面６４ａ１に沿って案内される。このため、用紙Ｐのジャムの発生を抑制することができる。また、このとき、用紙Ｐの先端辺の一部がリブ７４の上面７４ａよりも低くなるように撓んだ状態で搬送されても、リブ４１ｂが傾斜面４１ｃ１を有していることで、用紙Ｐの先端が傾斜面４１ｃ１に沿って案内される。このため、用紙Ｐのジャムの発生を抑制することができる。また、リブ６５に傾斜面６５ａ１が形成されていることで、リブ６５の上流端の高さが、リブ６４の上面６４ａよりも低くなる。このため、用紙Ｐの一部が、延在部６３ａを挟まずに隣接する２つのリブ６４間に撓んだ状態で搬送されてきても、用紙Ｐの先端がリブ６５の傾斜面６５ａ１に沿って案内される。この結果、用紙Ｐのジャムの発生を抑制することができる。
【００５０】
制御装置１００は、用紙Ｐがヘッド２の真下を搬送方向Ｄに通過する際に、ヘッド２を制御して、吐出面２ａからインクが吐出し、用紙Ｐに所望の画像を記録する。その後、用紙Ｐは、下流側ガイド部４０によりガイドされて、筐体１ａの上部から排紙部４に排出される。
【００５１】
続いて、制御装置が実行するメンテナンス動作について、以下に説明する。プリンタ１は、メンテナンス指令（例えば、パージ信号、キャップ信号）を受信すると、メンテナンス動作を実行する。
【００５２】
制御装置１００は、移動機構５３を制御して、図９（ａ）に示すように、プラテン５１を退避位置に移動させる。この後、制御装置１００は、図９（ｂ）に示すように、対向部材昇降機構１１を制御して、対向部材１０を待機位置からインク受容位置に移動させる。次に、制御装置１００は、ポンプ８を制御して、ヘッド２のすべての吐出口からインクを排出し（パージ動作）、対向部材１０の表面１０ａでインクを受容する。これにより、吐出口から排出されたインクを受容することが可能となり、装置内が汚れにくくなる。
【００５３】
次に、制御装置１００は、図示しない払拭機構を制御して、吐出面２ａ及び対向部材１０の表面１０ａを払拭する（払拭動作）。これにより、吐出面２ａ上の残留したインクなどの異物、及び、対向部材１０の表面１０ａの残留したインクなどの異物が取り除かれる。なお、除去したインクなどは、廃液処理部（不図示）に排出される。そして、制御装置１００がキャップ信号を受信した場合、制御装置１００は環状部材昇降機構１３を制御して、環状部材１２を対向部材１０の表面１０ａに当接させて吐出面２ａを封止する。これにより、複数の吐出口において、インクの乾燥を抑制することが可能となる。こうして、メンテナンス動作が完了する。この後、制御装置１００は、記録指令を受信すると、環状部材昇降機構１３を制御して、環状部材１２を元の位置（図９（ａ）に示す位置であって対向部材１０と当接しない位置）に戻す。さらに制御装置１００は、対向部材１０を待機位置に移動させ、プラテン５１を対向位置に移動させるように、対向部材昇降機構１１及び移動機構５３を制御する。そして、上述した記録動作が実行される。
【００５４】
以上に述べたように、本実施形態によるプリンタ１によると、搬送方向Ｄに沿って移動可能なプラテン５１を有していても、プラテン５１とガイド部材３３及びガイド部材４１との間に、用紙Ｐの先端が引っ掛かる山型の段差が形成されるのを抑制することができる。このため、用紙Ｐのジャムの発生を抑制することができる。
【００５５】
従動ローラとなる３つのローラ５８ｂが上流支持部６１に取り付けられた構成であるため、搬送モータ５８Ｍからの駆動力を伝達する伝達機構の構成が簡単になる。
【００５６】
プラテン５１が上流支持部６１と下流支持部７１とを有し、移動機構５３によって互いに反対方向に移動する。これにより、プラテン５１が両開きの構成となる。
【００５７】
本実施形態においては、リブ３３ｂとリブ４１ｂが、主走査方向に関して、同じ位置に配置されているが、ガイド部材３３のリブ３３ｂとガイド部材４１のリブ４１ｂとが、主走査方向に関して、異なる位置に配置されていてもよい。この変形例においては、図１０に示すように、主走査方向に関して、ガイド部材３３の４つのリブ３３ｂとガイド部材４１の４つのリブ４１ｂとが異なる位置に配置され、上流支持部２６１の４つのリブ２６４がリブ４１ｂと同じ位置に配置され、下流支持部２７１の４つのリブ２７４がリブ３３ｂと同じ位置に配置される。この両開きタイプのプラテンの場合でも、上述の実施形態と同様に、用紙Ｐのジャムの発生を抑制することができる。しかしながら、リブ３３ｂとリブ４１ｂが、主走査方向に関して、異なる位置に配置されていると、ガイド部材３３，４１自体が主走査方向にずれるため、搬送装置が主走査方向に大きくなる。一方、上述の実施形態においては、リブ３３ｂとリブ４１ｂが、主走査方向に関して、同じ位置に配置されているため、主走査方向に関して、搬送装置３の小型化を図ることができる。
【００５８】
上述の実施形態による記録支持部５０は、プラテン５１が搬送方向Ｄに沿って互いに反対方向に移動可能な両開きタイプであるが、搬送方向Ｄに沿って一方にのみ移動可能なプラテン３５１を有する記録支持部３５０であってもよい。つまり、この変形例による記録支持部３５０のプラテン３５１は、吐出面２ａと対向する対向位置から退避位置に移動する際は搬送方向上流側に移動し、退避位置から対向位置に移動する際は搬送方向下流側に移動する。プラテン３５１は、図１１に示すように、矩形平面形状を有する板状の基部３５２と、副走査方向（搬送方向Ｄ）に延在する３つの板状の延在部３５３と、副走査方向に延在する長尺な６つのリブ３５４とを有し、これらが一体的に形成されている。なお、上述のプラテン５１と同様な構成については、同符号で示し説明を省略する。
【００５９】
基部３５２は、主走査方向に延在する接続部３５２ａを有する。接続部３５２ａは、搬送方向Ｄに関して、基部３５２の中央より下流端側において、鉛直方向に立ち上がって形成されている。３つの延在部３５３は、接続部３５２ａを介して基部３５２と一体的に繋がっている。３つの延在部３５３は、基部３５２の上方において当該基部３５２と離隔し、且つ、主走査方向に関して互いに離隔して等間隔に配置されている。また、３つの延在部３５３は、互いの上面３５３ａが同一高さレベルになるように配置されている。また、基部３５２と３つの延在部３５３との間であって、搬送方向Ｄに関して接続部３５２ａを挟む位置には、ガイド部材３３，４１の基部３３ａ，４１ａとプラテン３５１との干渉をさけるための隙間が形成されている。
【００６０】
６つのリブ３５４は、上述のリブ６４よりも副走査方向に関する長さが長いだけで、リブ６４と同様の構成を有する。つまり、リブ３５４は、傾斜面６４ａ１と同様の傾斜面を有する。これにより、リブ３５４の上流端の高さが、上面３５４ａよりも低くなる。このため、リブ３５４の上流端の高さが、プラテン３５１が対向位置（図１１に示す位置）にあるときに、リブ３３ｂの上面３３ｃ以下となる。したがって、ガイド部材３３とプラテン３５１との間に、山型の段差が形成されにくくなる。この結果、ガイド部材３３によって支持されながら用紙Ｐが搬送されてきても、用紙Ｐのジャムの発生を抑制することができる。なお、上述の実施形態と同様な構成の部分については、同じ効果を得ることができる。
【００６１】
また、記録支持部３５０の移動機構は、上述の移動機構５３の上流支持部６１を移動させるための構成要素とほぼ同様の構成を有している。このため、移動機構の構成が上述の移動機構５３よりも簡単になる。加えて、駆動モータ５７を１つ減らすことができる。なお、プラテン３５１は、片開きタイプとなるため、プラテン３５１の移動距離が上流支持部６１よりも長くなるため、ラックの長さがラック５５ａよりも長い。この移動機構によって、プラテン３５１が対向位置から搬送方向上流に移動し、退避位置に配置されると、３つのローラ５８ｂは、ローラ５８ａとの離隔距離が上述の第２位置にあるときよりも大きい位置に配置される。両ローラ５８ａ，５８ｂ間にジャムした用紙Ｐがある場合に、当該用紙Ｐをより除去しやすくなる。なお、この変形例においては、下流にあるガイド部材４１はリブ４１ｂが形成されていない平板から構成されていてもよい。この場合、平板の上面は、リブ３５４の上面３５４ａ以下の高さレベルに配置される。また、リブ３５４及び延在部３５３は、搬送方向Ｄに関して、平板と重ならないように構成される。
【００６２】
また、別の変形例として、図１２に示すような記録支持部４５０であってもよい。この記録支持部４５０のプラテン４５１は、上述の記録支持部３５０のプラテン３５１とは反対方向に移動するものであって、対向位置から退避位置に移動する際は搬送方向下流側に移動し、退避位置から対向位置に移動する際は搬送方向上流側に移動する。プラテン４５１は、図１２に示すように、矩形平面形状を有する板状の基部４５２と、副走査方向（搬送方向Ｄ）に延在する３つの板状の延在部４５３と、副走査方向に延在する長尺な６つのリブ４５４とを有し、これらが一体的に形成されている。なお、上述のプラテン５１と同様な構成については、同符号で示し説明を省略する。また、本変形例においては、基部４５２に当接部６６が形成されていない。
【００６３】
基部４５２は、主走査方向に延在する接続部４５２ａを有する。接続部４５２ａは、搬送方向Ｄに関して、基部４５２の中央より上流端側において、鉛直方向に立ち上がって形成されている。３つの延在部４５３は、接続部４５２ａを介して基部４５２と一体的に繋がっている。３つの延在部４５３は、基部４５２の上方において当該基部４５２と離隔し、且つ、主走査方向に関して互いに離隔して等間隔に配置されている。また、３つの延在部４５３は、互いの上面４５３ａが同一高さレベルになるように配置されている。また、基部４５２と３つの延在部４５３との間であって、搬送方向Ｄに関して接続部４５２ａを挟む位置には、ガイド部材３３，４１の基部３３ａ，４１ａとプラテン４５１との干渉をさけるための隙間が形成されている。
【００６４】
６つのリブ４５４も、上述のリブ３５４と同様の構成を有する。つまり、リブ４５４は、傾斜面６４ａ１と同様の傾斜面を有する。これにより、リブ４５４の上流端の高さが、上面４５４ａよりも低くなる。このため、リブ４５４の上流端の高さが、プラテン４５１が対向位置（図１２に示す位置）にあるときに、リブ３３ｂの上面３３ｃ以下となる。したがって、ガイド部材３３とプラテン４５１との間に、山型の段差が形成されにくくなる。この結果、ガイド部材３３によって支持されながら用紙Ｐが搬送されてきても、用紙Ｐのジャムの発生を抑制することができる。なお、上述の実施形態と同様な構成の部分については、同じ効果を得ることができる。
【００６５】
また、記録支持部４５０の移動機構は、上述の移動機構５３の下流支持部７１を移動させるための構成要素とほぼ同様の構成を有している。このため、移動機構の構成が上述の移動機構５３よりも簡単になる。加えて、駆動モータ５７を１つ減らすことができる。なお、プラテン４５１も、上述のプラテン３５１と同様に片開きタイプとなるため、プラテン４５１の移動距離が下流支持部７１よりも長くなるため、ラックの長さがラック５５ｂよりも長い。この移動機構によって、プラテン４５１が対向位置から搬送方向下流に移動し、退避位置に配置されると、３つのローラ５８ｂは、ローラ５８ａとの離隔距離が上述の第２位置にあるときよりも大きい位置に配置される。両ローラ５８ａ，５８ｂ間にジャムした用紙Ｐがある場合に、当該用紙Ｐをより除去しやすくなる。なお、この変形例においては、上流にあるガイド部材３３はリブ３３ｂが形成されていない平板から構成されていてもよい。この場合、平板の上面は、リブ４５４の上面４５４ａ以上の高さレベルに配置される。また、リブ４５４は延在部４５３から搬送方向上流側に突出せず、平板とリブ４５４とが搬送方向Ｄに関して重ならない。
【００６６】
以上、本発明の好適な実施の形態について説明したが、本発明は上述の実施の形態に限られるものではなく、特許請求の範囲に記載した限りにおいて様々な変更が可能なものである。例えば、リブ６４，３５４，４５４の上面６４ａ，３５４ａ，４５４ａの高さがリブ３３ｂの上面３３ｃ以下であり、リブ６４，３５４，４５４の上流端の高さが上面３３ｃ以下となる場合は、傾斜面６４ａ１がなくてもよい。また、リブ４１ｂの上面４１ｃの高さがリブ７４，３５４，４５４の上面７４ａ，３５４ａ，４５４ａ以下であり、リブ４１ｂの上流端の高さが上面７４ａ，３５４ａ，４５４ａ以下となる場合は、傾斜面４１ｃ１がなくてもよい。また、リブ６４，３５４，４５４の上流端の高さが上面３３ｃ以下となるように、リブ６４，３５４，４５４に傾斜面６４ａ１が形成されている場合は、当該リブ６４，３５４，４５４の上面６４ａ，３５４ａ，４５４ａがリブ３３ｂの上面３３ｃよりも高くてもよい。また、リブ４１ｂの上流端の高さが上面７４ａ，３５４ａ，４５４ａ以下となるように、リブ４１ｂに傾斜面４１ｃ１が形成されている場合は、当該リブ４１ｂの上面４１ｃがリブ７４，３５４，４５４の上面７４ａ，３５４ａ，４５４ａよりも高くてもよい。
【００６７】
リブ６４，３５４，４５４は、主走査方向に関して、リブ３３ｂ間の中央に配置されていてもよい。また、リブ６４，３５４，４５４は、主走査方向に関して、リブ３３ｂと離隔して配置されていてもよい。また、伝達機構を介して搬送モータ５８Ｍの駆動力をローラ５８ｂに直接伝達してもよい。つまり、ローラ５８ｂを駆動ローラとしてもよい。また、プラテン５１（上流支持部６１），３５１，４５１には、ローラ５８ｂが取り付けられていなくてもよい。また、環状部材１２を設けず、対向部材１０だけが設けられていてもよい。この場合、ヘッド２から排出されたインクを受容する受容部として対向部材１０が設けられた構成となる。また、メンテナンス機構が設けられていなくてもよい。
【００６８】
本発明は、ライン式・シリアル式のいずれにも適用可能であり、また、プリンタに限定されず、ファクシミリやコピー機等にも適用可能であり、さらに、インク以外の液体を吐出させることで記録を行う記録装置にも適用可能である。本発明は、インクジェット式に限定されず、例えばレーザー式、サーマル式等の記録装置にも適用可能である。記録媒体は、用紙Ｐに限定されず、記録可能な様々な媒体であってよい。
【符号の説明】
【００６９】
１  プリンタ（記録装置）
２  ヘッド
１０  対向部材（受容部：キャップの一部）
１２  環状部材（キャップの一部）
３３  ガイド部材（上流ガイド部材）
３３ｂ  リブ（第２部材：上流第２部材）
３３ｄ  側面（第２側面）
４１  ガイド部材（下流ガイド部材）
４１ｂ  リブ（第２部材：下流第２部材）
４１ｃ１  傾斜面（第２傾斜面）
４１ｄ  側面（第２側面）
５１，３５１，４５１  プラテン（支持部材）
５３  移動機構
５８  搬送ローラ対（搬送機構）
５８ａ  ローラ（第２ローラ）
５８ｂ  ローラ（第１ローラ）
６１  上流支持部
６４  リブ（第１部材：上流第１部材）
６４ａ  上面（支持面）
６４ａ１  傾斜面（第１傾斜面）
６４ｂ  側面（第１側面）
６５  リブ（第３部材）
７１  下流支持部
７４  リブ（第１部材：下流第１部材）
７４ａ  上面（支持面）
７４ｂ  側面（第１側面）
【図１】
2014148055.tif 000003
【図２】
2014148055.tif 000004
【図３】
2014148055.tif 000005
【図４】
2014148055.tif 000006
【図５】
2014148055.tif 000007
【図６】
2014148055.tif 000008
【図７】
2014148055.tif 000009
【図８】
2014148055.tif 000010
【図９】
2014148055.tif 000011
【図１０】
2014148055.tif 000012
【図１１】
2014148055.tif 000013
【図１２】
2014148055.tif 000014